(57)【要約】【課題】木材の利点（通気性、殺菌作用、香等）を有効に活用しつつ、コストアップを最小限に抑えることができるようにした弁当箱を提供する。【解決手段】側枠１１と、側枠１１の下面側に一体的に取り付けられた底板１２と、側枠１１の上面側に着脱自在に被せられる蓋板２０とを備え、内部に調理済みの食品が収納される弁当箱１において、側枠１１、底板１２、蓋板２０のいずれか一つの特定部材（好ましくは底板１２）を杉、檜や、経木と呼ばれている木材の単体とし、他の部材を合成樹脂材とする。【選択図】図１
0003194779.tif 000002
【実用新案登録請求の範囲】
【請求項１】
側枠と、上記側枠の下面側に一体的に取り付けられた底板と、上記側枠の上面側に着脱自在に被せられる蓋板とを備え、内部に調理済みの食品が収納される弁当箱において、
上記側枠、上記底板、上記蓋板のいずれか一つの特定部材が木材の単体からなり、他の部材が合成樹脂材からなることを特徴とする弁当箱。
【請求項２】
上記特定部材が上記底板であることを特徴とする請求項１に記載の弁当箱。
【考案の詳細な説明】
【技術分野】
【０００１】
本考案は、駅弁に代表されるご飯やおかず等の調理済み食品を収納する弁当箱（食品容器）に関するものである。
【背景技術】
【０００２】
この種の弁当箱の一つに、古くから用いられている杉や檜等の木材からなる折り箱がある。木製の折り箱は、適度な通気性、吸湿性、殺菌作用（雑菌繁殖抑制作用）を有しているため、特にご飯や赤飯等の鮮度のもちがよく、また、ほのかな木の香りは日本人にとって好まれている。
【０００３】
しかしながら、木製の折り箱は、木材に反りが発生しやすく組み立てが容易ではないことと、材料コストが高い等の理由により敬遠されがちで、近年では、テイクアウト用の弁当箱として、発泡スチロール材等からなる合成樹脂製の食品容器が主流となっている。
【０００４】
合成樹脂製の食品容器は、組み立てが容易で自動機での製造が可能であり、材料コストも安価ではあるが、通気性や吸湿性等がほとんどないことから、木製の折り箱に比べて、収納する食品（特にご飯や赤飯）のもちが余りよくない。また、木の香りもしない。
【０００５】
この点について、特許文献１には、全体が発泡スチロール等の板材からなる箱体の側枠内面に木材を貼り付けて、木材が有している利点を活かすようにした弁当箱としての食品容器が提案されている。
【０００６】
これによれば、木材による殺菌作用とその香りが得られるものの、側枠自体が発泡スチロール等の合成樹脂材であるため通気性がよくなる分けではない。また、製品コストにしても、貼り付ける木材の材料コストが余計に嵩むことになる。
【先行技術文献】
【特許文献】
【０００７】
【特許文献１】実用新案登録第３１４３２９１号
【考案の概要】
【考案が解決しようとする課題】
【０００８】
したがって、本考案の課題は、木材の利点を有効に活用しつつ、コストアップを最小限に抑えることができるようにした弁当箱を提供することにある。
【課題を解決するための手段】
【０００９】
上記課題を解決するため、本考案は、側枠と、上記側枠の下面側に一体的に取り付けられた底板と、上記側枠の上面側に着脱自在に被せられる蓋板とを備え、内部に調理済みの食品が収納される弁当箱において、上記側枠、上記底板、上記蓋板のいずれか一つの特定部材が木材の単体からなり、他の部材が合成樹脂材からなることを特徴としている。
【００１０】
上記のように木材の単体からなる上記特定部材は、上記側枠もしくは上記蓋板であってもよいが、ご飯や赤飯を収納する弁当箱においては、上記底板であることが好ましい。
【考案の効果】
【００１１】
本考案によれば、側枠、底板および蓋板によって構成される弁当箱の一部の特定部材、特には底板を木材の単体とし、他の部材を合成樹脂材としたことにより、木材が有する適度な通気性、吸湿性、殺菌作用（雑菌繁殖抑制作用）により、保存性がよく食品（特にはご飯や赤飯）をより長持ちさせることができる。
【００１２】
弁当箱において、底板は曲げ加工を要しない平らな板であってよく、また、食品との接触面積も大きいことから、本考案では、好ましくは底板を木材製としている。また、コストにしても、特定部材に用いられる合成樹脂材に代えて木材が用いられることから、その差分だけのコストアップで済むことになる。
【図面の簡単な説明】
【００１３】
【図１】本考案の実施形態に係る弁当箱を蓋を開けた状態で示す斜視図。
【図２】上記弁当箱の蓋を開けた状態での断面図。
【考案を実施するための形態】
【００１４】
次に、図１および図２により、本考案の実施形態について説明するが、本考案はこれに限定されるものではない。
【００１５】
図１および図２に示すように、この実施形態に係る弁当箱１は、上面が開放された箱本体１０と、箱本体１０の上面開口部に着脱自在に被せられる蓋体２０とを備えている。
【００１６】
箱本体１０は、所定幅の帯材の両端を一体に接合してなる環状の側枠１１と、側枠１１の下面側に一体的に取り付けられた底板１２とからなる。
【００１７】
この実施形態において、側枠１１は四角形に形成されているが、三角形，五角形等の多角形状、楕円を含む円形状等、任意の形状に形成されてよい。これに合わせて、底板１２は側枠１１と同様の形状に形成される。
【００１８】
この実施形態に係る弁当箱１において、側枠１１と蓋体２０には、ともに発泡スチロール樹脂等の板材が用いられているのに対して、底板１２には、木材が用いられている。この木材としては、杉、檜、赤松や、一般に経木と呼ばれている木材が用いられ、この例では、底板１２を経木材としている。
【００１９】
また、木材（底板１２）の厚さは、組み立て時に容易に変形せず、組み立て後においては、収納される食品の重さに十分に耐えられるように、１．２〜２ｍｍ程度であることが好ましく、この実施形態では１．５ｍｍとしている。
【００２０】
１．２ｍｍ未満であると、変形しやすく組み立て難いし、強度不足で食品を入れた場合底抜けするおそれがある。他方、２ｍｍを超えると過剰な厚みとなり、その分材料費が高くなり、重さも増えるので、好ましくない。
【００２１】
底板１２を取り付けるにあたって、この実施形態では、図２に示すように、側枠１１の下面側の内面の全周にわたって溝１１ａを形成し、底板１２の周縁部１２ａを溝１１ａ内に嵌合する、いわゆる上げ底式としている。
【００２２】
合成樹脂材からなる側枠１１と蓋体２０の外面には、印刷もしくは化粧シート等により装飾が施されてよい。
【００２３】
また、図示しないが、箱本体１０内に食品を分けて収納するための仕切り板が設けられてよい。仕切り板は、合成樹脂製、木材製のいずれであってもよいが、好ましくは底板１２と同じく木材製であるとよい。
【００２４】
この実施形態に係る弁当箱１によれば、底板１２を好ましくは杉、檜、赤松等の天然木材の単体としたことにより、天然木材が有する適度な通気性、吸湿性、殺菌作用により、保存性がよく食品（特にはご飯や赤飯）をより長持ちさせることができる。また、ほのかな木の香りが生ずる。
【００２５】
なお、上記実施形態とは異なり、側枠１１のみを木材製とし、底板１２および蓋板２０を合成樹脂製とする態様、蓋板２０のみを木材製とし、側枠１１および底板１２の箱本体１０を合成樹脂製とする態様も本考案に含まれる。
【符号の説明】
【００２６】
１  弁当箱
１０  箱本体
１１  側枠
１２  底板
２０  蓋板
【図１】
0003194779.tif 000003
【図２】
0003194779.tif 000004